(57)【特許請求の範囲】
【請求項１】
電子機器のケースの一部表面に露出する外部接続端子を覆う弾性片からなるキャップを前記ケースに取り付けるキャップの取り付け構造であって、
長方形の前記キャップの一端側内面に、キャップの長さ方向外側に向かってＬ形にキャップ取り付け片が弾性片により設けられ、このキャップ取り付け片の先端側には穴が形成され、
そのキャップ取り付け片を、ケースに開けられたキャップ取り付け穴を介してケースの内側に挿入し、ケースの内面に重なる状態とし、さらに先端側に引っ張った状態で該先端側部分に形成された前記穴をケース内に設けた突部に係合させてキャップ取り付け片をケース内に固定することによりキャップをケースに取り付けたことを特徴とするキャップの取り付け構造。
【請求項２】
前記突部はケースの内面、あるいはケース内の部品に設けられることを特徴とする請求項１に記載のキャップの取り付け構造。
【発明の詳細な説明】
【０００１】
【発明の属する技術分野】
本発明は、ケースの一部表面に露出する外部接続端子を覆うキャップをケースに取り付けるキャップの取り付け構造に関する。
【０００２】
【従来の技術】
電子機器、例えば移動体電話機においては、ケースの一部表面に外部接続端子が露出しており、外部機器、例えばイヤホーンマイクを使用するときは、その外部接続端子にイヤホーンマイクを接続している。しかし、この外部接続端子は、外部機器を使用しないときは防水のために弾性片からなるキャップで覆われる。キャップは一部がケースに取り付けられる。
【０００３】
図７は、従来のキャップをケースに取り付ける従来のキャップの取り付け構造を示す斜視図である。この図において、１１は移動体電話機のケースで、下端面には、キャップ２１の大きさに合わせて凹部１２が形成されており、この凹部１２の底面一方側には端子穴１３が形成され、この端子穴１３に図示しないが外部接続端子、例えばイヤホーンマイク端子が設けられる。一方、凹部１２の底面他方側にはキャップ取り付け穴１４が形成される。２１は弾性片からなる長方形のキャップで、内面一方側には前記端子穴１３に挿入される突部２２が形成される。この突部２２が端子穴１３に挿入されることにより、キャップ２１の一方側がケース１１に固定される。一方、キャップ２１の内面他方側には、キャップ２１と同一弾性部材からなる帯状のキャップ取り付け片２３が突設される。この取り付け片２３には、長さ方向の中間部にこぶ部２４が上下に設けられる。
【０００４】
キャップ２１をケース１１に取り付ける場合は、図７および図８（ａ）の矢印で示すように取り付け片２３をケース１１の取り付け穴１４に挿入する。すると、挿入の途中で取り付け片２３に設けたこぶ部２４がケース１１に当たり、途中で取り付け片２３を挿入できなくなる。そこで、この途中までの挿入で既にケース１１内に挿入されている取り付け片２３の先端部を手で強く引っ張ることにより、こぶ部２４を取り付け穴１４を通過させ、こぶ部２４をケース１１の内側に挿入させる。すると、こぶ部２４がケース１１の内側に引っ掛かり、取り付け片２３が取り付け穴１４から抜けなくなり、キャップ２１が図８（ｂ）に示すようにケース１１に取り付けられる。その後、ケース１１内に挿入されている取り付け片２３の先端側が他の部品に対して邪魔にならないように、こぶ部２４の先で工具（ニッパ）２６で取り付け片２３を切断する。
【０００５】
【発明が解決しようとする課題】
しかしながら、上記のような従来のキャップの取り付け構造では、次のような欠点があった。
（１）取り付け片２３を途中で強く手で引っ張る必要があるから、作業が困難である。
（２）キャップ２１の取り付け後、余分な部分である取り付け片２３の先端側を切断する際、ケース１１に傷を付けてしまう危険性がある。
（３）取り付け片２３の先端側を切り忘れ、そのまま組み立ててしまい、組立てミスが発生する可能性がある。
（４）キャップ２１の取り付け後は取り付け片２３の先端側（引っ張る際に持つところ）を切り落としてしまうので、キャップ２１をケース１１から外し、再び取り付けることは困難である。
（５）キャップ２１の取り付け後、キャップ２１を外側から引っ張ると抜けることがある。
【０００６】
本発明は上記の点に鑑みなされたもので、上記従来の問題点を一掃できるキャップの取り付け構造を提供することを目的とする。
【０００７】
【課題を解決するための手段】
本発明のキャップの取り付け構造は、電子機器のケースの一部表面に露出する外部接続端子を覆う弾性片からなるキャップを前記ケースに取り付けるキャップの取り付け構造であって、長方形の前記キャップの一端側内面に、キャップの長さ方向外側に向かってＬ形にキャップ取り付け片が弾性片により設けられ、このキャップ取り付け片の先端側には穴が形成され、そのキャップ取り付け片を、ケースに開けられたキャップ取り付け穴を介してケースの内側に挿入し、ケースの内面に重なる状態とし、さらに先端側に引っ張った状態で該先端側部分に形成された前記穴をケース内に設けた突部に係合させてキャップ取り付け片をケース内に固定することによりキャップをケースに取り付けたことを特徴とする。
【０００８】
このキャップの取り付け構造において、前記突部はケースの内面、あるいはケース内の部品に設けられる。
【００１０】
【発明の実施の形態】
次に添付図面を参照して本発明によるキャップの取り付け構造の実施の形態を詳細に説明する。図１は本発明のキャップの取り付け構造の実施の形態を示す断面図であり、図２はキャップを取り出して示す斜視図である。これらの図において、３１は電子機器例えば移動体電話機のケースであり、このケース３１の裏面と側面がなす角部は湾曲しており、この湾曲角部表面には、後述するキャップ４１の大きさに合わせて凹部３２が形成されている。そして、凹部３２の底面一方側（ケース３１の側面側）には端子穴３３が形成され、この端子穴３３に外部接続端子例えばイヤホーンマイク端子（図示せず）が設けられる。一方、凹部３２の底面他方側（ケース３１の裏面側）には、キャップ取り付け穴３４が形成される。さらに、このキャップ取り付け穴３４の近傍においてケース３１の内面には、後述するキャップ取り付け片４３を固定するための突部３５が設けられる。
【００１１】
４１は弾性片からなる長方形のキャップである。このキャップ４１は、前記端子部分を含む前記湾曲したケース３１の角部を覆えるように長さ方向に湾曲して形成される。また、キャップ４１の内面長さ方向一方側には、突部４２が設けられる。この突部４２がケース３１の端子穴３３の図示しない端子の挿入孔に挿入されることにより、キャップ４１の一方側が図示しない端子（ケース３１）に固定される。一方、キャップ４１の内面長さ方向他方側には、キャップ４１の長さ方向外側に向かってＬ形にキャップ取り付け片４３が設けられる。このキャップ取り付け片４３は、キャップ４１と同様な弾性片からなり、キャップ４１と一体に形成され、先端側には、前記ケース３１内面の突部３５が挿入される穴４４が形成される。
【００１２】
上記キャップ４１をケース３１に取り付ける場合は、図３（ａ），（ｂ）に示すようにキャップ取り付け片４３を変形させて、このキャップ取り付け片４３をケース３１の取り付け穴３４からケース３１の内側にキャップ取り付け片４３の根元まで挿入する。その後、例えばピンセットでキャップ取り付け片４３をその先端側に若干引っ張った状態で、図３（ｃ）に示すようにキャップ取り付け片４３をケース３１の内面に押しつけ正規のＬ形形状に戻すことにより、ケース３１の内面にキャップ取り付け片４３が重なった状態で、該キャップ取り付け片４３の穴４４にケース３１内面の突部３５を挿入させる。これにより、キャップ取り付け片４３がケース３１内面に係合保持され、同時にキャップ４１がケース３１に取り付けられる。この状態ではキャップ取り付け片４３が正規のＬ形形状に戻って安定しており、かつキャップ４１をケース３１の外側に引っ張ったとき、キャップ取り付け片４３には穴４４と突部３５の係合方向と直角方向に引っ張り力が加わるから、キャップ取り付け片４３が突部３５から抜けることはない。しかも、キャップ取り付け片４３の穴４４に突部３５を係合させる際、キャップ取り付け片４３をその先端側に若干引っ張った状態で穴４４に突部３５を挿入させているので、キャップ取り付け片４３の弾性復帰力により穴４４と突部３５との間には摩擦力が発生する。そして、この摩擦力によりキャップ取り付け片４３が突部３５から抜けずらくなるので、キャップ取り付け片４３の固定がよりしっかりとしたものとなり、ひいてはキャップ４１がしっかりとケース３１に取り付けられる。
【００１３】
なお、図３（ｂ）に示すようにキャップ取り付け片４３が根元までケース３１の内側に挿入されると、該キャップ取り付け片４３の穴４４とケース３１内面の突部３５がほぼ一致するように位置決めされているので、その後、キャップ取り付け片４３をその先端側に若干引っ張ってキャップ取り付け片４３をケース３１の内面に押し付ければ、容易にキャップ取り付け片４３の穴４４にケース３１内面の突部３５が挿入される。このとき、キャップ取り付け片４３を先端側に引っ張っているが、この作業は従来のこぶ部をケース内側に挿入させる引っ張り作業に比較すれば引っ張り作業といえないぐらい容易な作業であり、例えばピンセットの先端で簡単にできる。
【００１４】
そして、上記のような本発明の取り付け構造によれば、次のような効果がある。
（１）キャップ取り付け片４３をケース３１の内側に挿入した後、キャップ取り付け片４３をその先端側に引っ張ってケース３１の内面に押し付けるだけで、キャップ４１を簡単にケース３１に取り付けることができる。
（２）キャップ取り付け片４３はケース３１の内面に重なった状態となり、ケース３１内に長く突出しないので、キャップ取り付け片４３を切断する必要がなく、ケース３１に傷を付ける恐れがない。
（３）キャップ取り付け前と取り付け後で形状が変わらないから、作業ミスが発生しない。
（４）キャップ取り付け片４３をケース３１内面の突部３５から外せばキャップ４１を簡単に外せるので、再利用が可能である。
（５）キャップ４１がしっかりと取り付けられ、キャップ４１を引っ張ってもキャップ４１が外れない。
【００１５】
なお、上記の実施の形態では、キャップ取り付け片４３に形成した１つの穴４４にケース３１側の１つの突部３５を挿入させてキャップ取り付け片４３をケース３１内面に係合保持させたが、図４に示すように穴４４と突部３５は複数（図４では２個）としてもよい。また、穴４４と突部３５の代わりに、図５に示すようにケース側にキー５１、キャップ取り付け片４３側にキー溝５２を設けて、キー５１とキー溝５２との係合によりキャップ取り付け片４３をケースの内面に保持させてもよい。
【００１６】
また、ケース３１は通常図６に示すように表ケース３１ａと裏ケース３１ｂからなり、図１の上記実施の形態では、キャップ取り付け穴３４が形成され、キャップ４１が取り付けられる裏ケース３１ｂの内面にキャップ取り付け片４３固定用の突部３５を設けたが、図６に示すように、キャップ４１が取り付けられない表ケース３１ａ側にキャップ取り付け片４３固定用の突部３５ａを設けるようにしてもよい。図５のキー５１を設ける場合も同様とすることができる。さらに、突部３５あるいはキー５１は、ケース３１ではなくて、ケース３１内に設けられる部品に設けるようにしてもよい。
【００１７】
さらに、上記の実施の形態は、移動体電話機のイヤホーンマイク端子を覆うキャップの場合であるが、その他の端子を覆うキャップの場合も同様な取り付け構造とすることができる。さらに、この取り付け構造が応用される電子機器も、移動体電話機以外の電子機器とすることができる。
【００１８】
【発明の効果】
以上詳細に説明したように本発明のキャップの取り付け構造によれば、取り付けが簡単で、しかし引っ張っても外れず、再利用が可能であり、しかもケースに対する傷付けや作業ミスの発生を防止できる。
【図面の簡単な説明】
【図１】本発明によるキャップの取り付け構造の実施の形態を示す断面図。
【図２】本発明の実施の形態で使用されるキャップを取り出して示す斜視図。
【図３】本発明の実施の形態において、キャップをケースに取り付ける様子を示す断面図。
【図４】本発明において、キャップ取り付け片をケースの内面に保持する他の手段を示す斜視図。
【図５】本発明において、キャップ取り付け片をケースの内面に保持する更に他の手段を示す斜視図。
【図６】本発明において、キャップ取り付け片をケースの内面に保持する更に他の手段を示す斜視図。
【図７】従来のキャップの取り付け構造を示す斜視図。
【図８】従来の構造において、キャップをケースに取り付ける様子を示す断面図。
【符号の説明】
３１  ケース
３４  キャップ取り付け穴
３５  突部
４１  キャップ
４３  キャップ取り付け片
４４  穴
【図１】
0003742961.tif 000002
【図２】
0003742961.tif 000003
【図３】
0003742961.tif 000004
【図４】
0003742961.tif 000005
【図５】
0003742961.tif 000006
【図６】
0003742961.tif 000007
【図７】
0003742961.tif 000008
【図８】
0003742961.tif 000009